(57)【要約】【課題】補整下着の製作において、個人の身体形状に適合した型紙をコンピューターの支援によって全自動で素早く作成し、個人形状対応下着の製作を簡単かつ容易ならしめる。【解決手段】被採寸者の体形を非接触式全身体計測装置を用いて密着下着着用状態か、又は無着用状態で計測し、該計測データを送信してコンピューターにより補整下着用型紙と対応した身体特徴点の自動抽出によるランドマークの表示を行い、次いで該ランドマーク中より指定によって自動的に指定されたランドマーク部の各身体寸法値を得て、コンピューターに登録された当該品番の基本身体寸法の体型に対応したマスターパターンを表示し、該当品番を指示することにより、上記身体寸法値を該マスターパターンに自動的に取り込み、該パターン上の当該特徴点位置を変動せしめて被採寸者個人に対応した寸法を得て、そのパターンデータを自動裁断機へ送信して裁断し、所定の下着に作成する。  【選択図】    図２
2005187952.tif 000002
【特許請求の範囲】
【請求項１】
被採寸者の体形の全身，全周を非接触式全身体計測装置を用いて密着下着着用状態か、又は無着用状態で計測し、該計測データを送信してコンピューターにより補整下着用型紙と対応した身体特徴点の自動抽出によるランドマーク（基準点）の表示を行い、次いでランドマークの指定によって自動的に該指定されたランドマーク部の各寸法値を得て、コンピューターに登録されている当該品番の基本身体寸法の体型に対応した基本型紙（マスターパターン）を表示し、該当品番を指示することにより上記寸法値を該マスターパターンに自動的に取り込み、マスターパターン上の当該特徴点位置を変動せしめて被採寸者個人に対応した寸法を得、その後、得られたパターンデータを自動裁断機へ送信して裁断し、所定の下着に作成することを特徴とする個人形状対応下着の製作方法。
【請求項２】
マスターパターンに寸法値を取り込むにあたり、品番の使用素材や縫製仕様と整合するよう予め適合表を作成しておく請求項１記載の個人形状対応下着の製作方法。
【発明の詳細な説明】
【技術分野】
【０００１】
本発明は個人形状対応下着の製作方法に係り、特に非接触式全身体計測装置を用いて個人の身体形状に最も適合した型紙をコンピューターの支援によって全自動で素早く製作する上記方法に関するものである。
【背景技術】
【０００２】
ブラジャー，ボディスーツなどの補整下着類は通常、多くのサイズのものがあり、夫々、着用者は自己のサイズに合致していると思われるものを利用しているが、補整下着のサイズは基本身体寸法のトップバスト周囲長，アンダーバスト周囲長，ウエスト周囲長，ヒップ周囲長といった限られた部位の周囲長でのみ表示されており、各個人毎に身体への適合性に優れたものを入手することは困難であった。
そこで、近時、下着の高級化志向にもとづいて自己の身体に適合したものを注文製作することが行われて来た。
【０００３】
ところが、従来の注文製作では洋服類の注文製作（例えば特許文献１参照）に見られるように、着用者を採寸し、その採寸値にもとづき、予め定めた標準等級品の数値と比較して標準等級品を規定しているパターンポイントの一部についてパターンポイントの蓄積された相対的位置にもとづいて裁断し補整することが一般的であった。
【０００４】
しかし、上記の如き注文製作による場合は着用者の体形に合致するとは云え、着用者には種々の体形があり、そのままの体形では必らずしも着用者によって理想的なバランスの良い着用体形を形成しているとは云えない。
【０００５】
そこで、本発明者は着用者に該着用者から見てあるべき理想的体形の概念を組み入れることにより単に体形に合致するに止まらず、ありたいと願う理想的バランス体形を醸し出す補整を予めコンピューターに蓄積されたデータと照合し、該着用者の肉質と体形に制約される補整限度を超えない範囲で加え、より下着のファッション化と高級志向傾向に即応せしめることを提案した。（例えば特許文献２参照）
【０００６】
【特許文献１】特公平４−２３００１号公報
【特許文献２】特許第２６８３８６０号公報
【発明の開示】
【発明が解決しようとする課題】
【０００７】
しかし、上記方法は予め種々の体形に対応する理想的な着用状態の三次元体形状及び任意部位の寸法データをコンピュータに記憶させて蓄積しておき、被採寸者の体形の全身，全周を計測装置で計測してコンピューターに表示し、上記の蓄積させたデータと比較照合して補整演算し、得られた寸法データにもとづいて型紙を製作する方法であるため、予め種々の体形に対応する理想的な着用状態の寸法データをコンピューターに蓄積させなければならないため豊富な経験と作業の繁雑さを免れなかった。
【０００８】
本発明は上述の如き実状に鑑み、特に身体特徴点の自動抽出によるランドマークの表示を行い、これよりランドマークの指定によって所要の身体寸法値を得て、この寸法値をコンピューターに登録されている当該品番の基本型紙に取り込むことを見出すことにより、個人の身体形状に適合した型紙をコンピューターの支援によって全自動で素早く作成することを可能とし、個人形状対応下着の製作を簡単かつさ容易ならしめることを目的とするものである。
【課題を解決するための手段】
【０００９】
本発明は上記の目的を達成するために、被採寸者の体形の全身，全周を非接触式全身体計測装置を用いて密着下着着用状態か、又は無着用状態で計測し、該計測データを送信してコンピューターにより補整下着用型紙と対応した身体特徴点の自動抽出によるランドマーク（基準点）の表示を行い、次いでランドマークの指定によって自動的に該指定されたランドマーク部の各身体寸法値（実測値）を得て、コンピューターに登録されている当該品番の基本身体寸法の体型に対応した基本型紙（マスターパターン）を表示し、該当品番を指示することにより上記身体寸法値を該マスターパターンに自動的に取り込み、マスターパターン上の当該特徴点位置を変動せしめて被採寸者個人に対応した寸法を得、その後、得られたパターンデータを自動裁断機へ送信して裁断し、所定の個人形状対応下着に製作するものである。
【００１０】
また、第２の解決手段は、上記マスターパターンに身体寸法値を取り込むにあたり、品番の仕様素材や縫製仕様と整合するよう予め適合表を作成しておくものである。
【００１１】
上記本発明の解決手段によると、ブラジャー，ガードル，ボディスーツその他、所要下着における作成時の使用特徴点を夫々、抽出し、夫々自動的に身体の寸法値を得て、コンピューターに登録されている当該品番のマスターパターン（基本身体寸法の体型に対応した基本型紙）を表示し、そのマスターパターンから該当するマスターパターンを指示することによって上記の身体寸法値を自動的にマスターパターンに取り込み、型紙上の当該特徴点位置を変動せしめ個人対応の寸法の型紙を得る。
この場合、単なる数値の取り込みではその品番の使用素材や縫製仕様と整合しない場合が生ずるので、予め、適合表を作成しておくのが好ましい。
そして得られたパターンデータを自動裁断機へＬＡＮ送信し、裁断することにより個人形状対応の下着を製作することができる。
【発明の効果】
【００１２】
上述した本発明の製作方法は、マスターパターンと対比してランドマークの指定によって得た身体寸法値をマスターパターンに取り込み、その一部のパターンポイント、即ち、ランドマークを変位修正することによって被採寸者が当該下着を着用した場合の最も対応した補整下着を作製するため、単に被採寸者の体形に対応合致するに止まらず、更に被採寸者が下着を着用したとき、体形状の表現をより美しいバランスで、しかも何ら不自然な窮屈さを生じることなく極めて快適に着用し得る補整下着を製作することができる。
またマスターパターンに寸法値を取り込むにあたり、品番の使用素材や縫製仕様と整合するよう適合表を作成しておくため、より有効に個人体形に対応させることができる。
【発明を実施するための最良の形態】
【００１３】
本発明は前述の如く個人の体形状に対応する下着の製作方法であり、先ず、着用しようする個人を被採寸者として、その体形の全身，全周を非接触全身体計測装置を用いて、密着下着着用状態、又は無着用状態で計測することから始まる。
非接触式全身体計測装置は既知のものであり、例えば図１に示すように、所定の軸（Ｚ方向の軸）に垂直な平面（ＸＹ平面）に配設された距離計測リング２と、光源及び半導体位置検出器を夫々含み、所定の軸までの距離がほぼ同一となるように距離計測リング２内側面にとりつけられた複数の検出ヘッド１と、距離計測リング２を所定の軸方向に案内するガイドロッド３と、距離計測リング２をガイドロッド３に沿って移動させる駆動機構（図示せず）と、複数の検出ヘッド１の夫々の検出信号にもとづいて被採寸者（人体）Ｍまでの距離を夫々算出し、当該被採寸者の三次元体形状を計測する計測手段（図示せず）を備えて構成されている。
【００１４】
そして、距離計測リング２の内側面に設けられた複数の検出ヘッド１は、被採寸者Ｍまでの距離に対応する検出信号を夫々出力する。このとき、検出ヘッド１はガイドロッド３に沿って距離計測リングと共に移動するので被採寸者Ｍの三次元体形状に応じた検出信号が得られることになり、従って、この検出信号にもとづいて被採寸者Ｍの全身，全周にわたる三次元体形状が計測される。
【００１５】
かくして、三次元体形状計測装置から被採寸者の三次元体形状がＸＹＺ座標値によって得られると、インターネット等の通信網を利用して型紙製作担当部門のコンピューターへ上記得られたデータが送信される。
型紙製作部門のコンピューターでは補整下着用型紙と対応した身体特徴点の自動抽出によるランドマーク（基準点）の表示を行う。
図２，図３は例えばガードル，ブラジャー等の補整下着作成時の使用特徴点、即ち、ランドマークを表示したものであり、図２はガードル作成時使用特徴点（ＬＧ０１〜ＬＧ１８）を示し、図３はブラジャー作成時使用特徴点（ＢＲ０１〜ＢＲ１５）を示している。
【００１６】
かくて、上記表示されたランドマークの表示において所要のランドマークを選定し、このランドマークの指定によって前記送信されたデータにもとづいて、例えばガードルの場合、型紙製作担当部門のコンピューターに自動的に以下の各部の各身体寸法値を得ることができる。
（ａ）ＬＧ０２；ウエスト周囲長
（ｂ）ＬＧ０６；ヒップ周囲長
（ｃ）ＬＧ０２〜ＬＧ０９；前中心丈
（ｄ）ＬＧ１６；太もも
（ｅ）ＬＧ１２〜ＬＧ１８；股下丈
（ｆ）ＬＧ０１，ＬＧ０２；ウエスト幅／厚
（ｇ）ＬＧ０４，ＬＧ０５；ヒップ幅／厚
（ｈ）ＬＧ６；後凸点間距離
【００１７】
次に上記型紙作成担当部門のコンピューターに既に登録済みの当該品番、例えばガードルの基本身体寸法の体型に対応して作成された基本型紙、即ち、マスターパターンを表示し、これに前記得られた指定によるランドマークの各身体寸法値を自動的に取り込み、型紙上で当該特徴点位置、即ち、ランドマーク位置を変動せしめ、個人に対応した寸法の型紙を得る。
なお、このとき、寸法値の単なる取り込みでは、その品番の使用素材や縫製仕様と整合しない場合が生ずるので予め適合表を作成しておくようにする。
このようにして最終的に作成されたパターンデータを自動裁断機へＬＡＮ送信し、裁断を行うことにより所要の下着を得ることが出来る。
【００１８】
以上は図２に示すガードルのランドマークにもとづいて説明したが、図３に示すブラジャーや他の下着、例えばボディスーツの場合もそのランドマークの適宜指定と寸法値の取り込みによって同様にして個人形状に対応した商品を得ることが出来る。
【実施例】
【００１９】
以下、更に本発明製作方法の実施例をガードルを対象として説明する。
先ず、非接触式全身体計測装置（北陸エステアール協同組合製造のクーゼットＣ１９２型）により被採寸者を密着下着着用状態で計測した。
一方、型紙製作担当部門のコンピューターで補整下着用型紙に対応した身体特徴点の自動抽出によるランドマークの表示を行い（図２参照）、前記計測装置で得られたデータをインターネットを利用して上記型紙製作担当部門のコンピューターへ送信し、ランドマークの指定によって自動的に下記表１における個人対応身体寸法値（被採寸者実寸）を得た。
【００２０】
次いで、コンピューターに登録されている各種商品中の該当品番のマスターパターンを表示し、上述の個人対応身体寸法値を自動的に取り込み、コンピューター上でマスターパターン寸法と個人対応身体寸法値との比率を係数としてパターン上で前記ランドマーク位置を変動せしめ、下記表１の個人対応の被採寸者実寸型紙寸法を得た。
【００２１】
【表１】
2005187952.tif 000003
【００２２】
かくして上記表１に示される個人対応の型紙寸法によるパターンデータを自動裁断機へＬＡＮ送信し、裁断して個人形状に適応したガードルを製作した。
得られたガードルは個人形状に即応し、頗る着用感の優れたものであった。
【図面の簡単な説明】
【００２３】
【図１】非接触式全身体計測装置の１例を示す斜視図である。
【図２】ガードル作成時使用特徴点を示し、（イ）は前面側，（ロ）は背面側である。
【図３】ブラジャー作成時使用特徴点を示し、（イ）は前面側，（ロ）は背面側である。
【符号の説明】
【００２４】
１；検出ヘッド
２；距離計測リング
３；ガイドロッド
Ｍ；被採寸者
ＬＧ０１〜ＬＧ１８；ガードル作成時使用特徴点
ＢＲ０１〜ＢＲ１５；ブラジャー作成時使用特徴点
【図１】
2005187952.tif 000004
【図２】
2005187952.tif 000005
【図３】
2005187952.tif 000006